【手続補正書】
【提出日】平成17年10月3日(2005.10.3)
【手続補正１】
【補正対象書類名】明細書
【補正対象項目名】特許請求の範囲
【補正方法】変更
【補正の内容】
【特許請求の範囲】
【請求項１】
配線と、
該配線に供給される信号の電位として所定の電位を印加する回路と、
該配線に前記信号が供給されることによって電圧が印加されて駆動状態になる画像形成素子と、
を有しており、
前記回路を、前記所定の電位を印加する時かもしくは前記所定の電位の印加を終了する時の少なくとも一方において、前記回路に定電位を供給する定電位供給経路と前記配線との間が所定の抵抗を介して接続されている状態にし、その後、前記定電位供給経路と前記配線との間が前記所定の抵抗よりも低い抵抗を介して接続されている状態にすることを特徴とする画像表示装置。
【請求項２】
前記回路は、定電位供給経路と前記配線との間に設けられた並列な複数の接続経路を有しており、該複数の接続経路の接続状態を切り替えることにより前記複数の状態を実現するものであることを特徴とする請求項１に記載の画像表示装置。
【請求項３】
前記複数の接続経路のうちの一つの接続経路の、前記定電位供給経路と前記配線とを接続した状態における抵抗値は、前記複数の接続経路のうちの他の一つの接続経路の、前記定電位供給経路と前記配線とを接続した状態における抵抗値と異なることを特徴とする請求項２に記載の画像表示装置。
【請求項４】
前記複数の接続経路は、それぞれがスイッチを有しており、該スイッチによって各接続経路の接続状態を切り替えることを特徴とする請求項２または３に記載の画像表示装置。
【請求項５】
前記複数の接続経路の少なくとも一つが、前記定電位供給経路と前記配線との間に並列に配置されたＮチャネル型のトランジスタとＰチャネル型のトランジスタを有することを特徴とする請求項２，３または４に記載の画像表示装置。
【請求項６】
前記回路において、前記定電位供給経路と前記配線との間が前記所定の抵抗を介して接続されている状態の抵抗値が、その後の、前記定電位供給経路と前記配線との間が前記所定
の抵抗よりも低い抵抗を介して接続されている状態の抵抗値の２．１倍以上であることを特徴とする請求項１〜５のいずれか一つに記載の画像表示装置。
【請求項７】
前記配線を複数有しており、前記回路を前記複数の配線にそれぞれ対応して複数有することを特徴とする請求項１〜６のいずれか一つに記載の画像表示装置。
【請求項８】
前記複数の配線は前記信号を変調信号として前記画像形成素子にそれぞれ印加するための変調信号配線であり、更に、マトリクス駆動のための走査信号を印加する複数の走査信号配線を有することを特徴とする請求項７に記載の画像表示装置。
【請求項９】
配線と、
該配線に供給される信号の電位として所定の電位を印加する回路と、
該配線に前記信号が供給されることによって電圧が印加されて駆動状態になる画像形成素子と、
を有しており、
前記回路は、該回路に定電位を供給する定電位供給経路と前記配線との接続状態を制御する複数の素子を、前記定電位供給経路と前記配線との間で並列に有しており、
前記所定の電位を印加する時かもしくは前記所定の電位の印加を終了する時の少なくとも一方において、前記複数の素子のうちの一部の素子が前記定電位供給経路と前記配線とを接続する状態にし、その後、前記複数の素子のうちの前記一部の素子と他の素子が前記定電位供給経路と前記配線とを接続する状態にすることを特徴とする画像表示装置。
【請求項１０】
配線と、
該配線に供給される信号の電位として所定の電位を印加する回路と、
該配線に前記信号が供給されることによって電圧が印加されて駆動状態になる画像形成素子と、
を有しており、
前記回路は、
前記配線に前記信号を出力する最終出力部と、
該最終出力部の前段に接続され、該最終出力部をオン・オフ制御する制御信号を出力する前段出力部と、
該前段出力部に電位を供給する電源と、
を含み、
前記最終出力部は、前記前段出力部から入力される制御信号の振幅値に応じてオン抵抗が定まる特性を有し、
前記前段出力部は、前記電源から供給される電位に応じて、前記制御信号の振幅値を変化させる最終出力部制御回路を有することを特徴とする画像表示装置。
【請求項１１】
前記電源として、供給する電位を変更可能な可変電源と、所定の電位を供給する定電源と、を備え、
前記最終出力部制御回路は、前記可変電源及び定電源から供給される電位を切り替えて出力する電源切替回路を含むことを特徴とする請求項１０に記載の画像表示装置。
【請求項１２】
前記最終出力部は、前記信号を供給するための電源と前記配線との間に並列に接続された第１のＭＯＳＦＥＴと該第１のＭＯＳＦＥＴとはチャネル特性の異なる第２のＭＯＳＦＥＴとを備え、
前記電源として、供給する電位を変更可能な第１及び第２の可変電源と、所定の電位を供給する第１及び第２の定電源と、を備え、
前記前段出力部は、前記第１の可変電源及び第１の定電源から供給される電位を切り替えて前記第１のＭＯＳＦＥＴのゲート端子に出力する第１の電源切替回路と、前記第２の可
変電源及び第２の定電源から供給される電位を切り替えて前記第２のＭＯＳＦＥＴのゲート端子に出力する第２の電源切替回路と、外部から入力される前記前段出力部を制御するための前段出力部制御信号を分岐させ、前記第１の電源切替回路に入力される信号に対して反転された信号を前記第２の電源切替回路に入力する制御信号反転回路と、を含むことを特徴とする請求項１１に記載の画像表示装置。
【請求項１３】
前記第１及び第２の電源切替回路の少なくともいずれかをＭＯＳＦＥＴによって構成したことを特徴とする請求項１１に記載の画像表示装置。
【請求項１４】
前記最終出力部は、前記信号を供給するための第１の電源と前記配線との間に並列に接続された第１のＭＯＳＦＥＴと該第１のＭＯＳＦＥＴとはチャネル特性の異なる第２のＭＯＳＦＥＴとを備える第１の最終出力部と、前記信号を供給するための第２の電源と前記配線との間に並列に接続された第３のＭＯＳＦＥＴと該第３のＭＯＳＦＥＴとはチャネル特性の異なる第４のＭＯＳＦＥＴとを備える第２の最終出力部と、を含み、
前記前段出力部は、前記第１の最終出力部に第１の制御信号を出力する第１の前段出力部と、前記第２の最終出力部に第２の制御信号を出力する第２の前段出力部と、を含み、
前記電源として、前記第１の前段出力部に接続され、供給する電位を変更可能な第１及び第２の可変電源と、所定の電位を供給する第１及び第２の定電源と、前記第２の前段出力部に接続され、供給する電位を変更可能な第３及び第４の可変電源と、所定の電位を供給する第３及び第４の定電源と、を備え、
前記第１の前段出力部は、前記第１の可変電源及び第１の定電源から供給される電位を切り替えて前記第１のＭＯＳＦＥＴのゲート端子に出力する第１の電源切替回路と、前記第２の可変電源及び第２の定電源から供給される電位を切り替えて前記第２のＭＯＳＦＥＴのゲート端子に出力する第２の電源切替回路と、外部から入力される前記第１の前段出力部を制御するための第１の前段出力部制御信号を分岐させ、前記第１の電源切替回路に入力される信号に対して反転された信号を前記第２の電源切替回路に入力する第１の制御信号反転回路と、を含み、前記第２の前段出力部は、前記第３の可変電源及び第３の定電源から供給される電位を切り替えて前記第３のＭＯＳＦＥＴのゲート端子に出力する第３の電源切替回路と、前記第４の可変電源及び第４の定電源から供給される電位を切り替えて前記第４のＭＯＳＦＥＴのゲート端子に出力する第４の電源切替回路と、外部から入力される第２の前記前段出力部を制御するための第２の前段出力部制御信号を分岐させ、前記第３の電源切替回路に入力される信号に対して反転された信号を前記第４の電源切替回路に入力する第２の制御信号反転回路と、を含むことを特徴とする請求項１１に記載の画像表示装置。
【請求項１５】
前記第１乃至第４の電源切替回路の少なくともいずれかをＭＯＳＦＥＴによって構成したことを特徴とする請求項１４に記載の画像表示装置。
【請求項１６】
行及び列の一方の方向に配置された複数の走査配線と、
行及び列の他方の方向に配置された複数の変調配線と、を備え、
前記回路は、これら走査配線あるいは変調配線のいずれか一方に所定の電位を印加することを特徴とする請求項１０に記載の画像表示装置。
【請求項１７】
前記走査配線のいずれかを選択する走査装置を備えたことを特徴とする請求項１６に記載の画像表示装置。
【請求項１８】
信号の電位を第１の電位から該第１の電位とは異なる第２の電位に遷移させるステップを有しており、
該遷移させるステップは、
所定の電位を供給する第１の電位供給経路と前記信号を出力する出力部との間を、該第１
の電位供給経路と前記出力部との間の抵抗値が所定の抵抗値となる状態で接続した第１の状態を実現するステップと、
該第１の状態から、
前記第１の電位供給経路と前記出力部との間を、前記第１の電位供給経路と前記出力部との間の抵抗値が前記第１の状態における前記所定の抵抗値よりも低い抵抗値となる状態で接続した第２の状態に変更するステップと、
該第２の状態を経由したのち、
前記所定の電位とは異なる電位を供給する第２の電位供給経路と前記出力部との間を、前記第２の電位供給経路と前記出力部との間の抵抗値が所定の抵抗値となる状態で接続した第３の状態を実現するステップと、
該第３の状態から、
前記第２の電位供給経路と前記出力部との間を、前記第２の電位供給経路と前記出力部との間の抵抗値が前記第３の状態における前記所定の抵抗値よりも低い抵抗値となる状態で接続した第４の状態に変更するステップ
を有することを特徴とする信号出力方法。
【請求項１９】
前記信号はパルス信号であり、該パルス信号の立ち上がり部分若しくは立ち下がり部分のいずれかを形成するためのステップが、前記遷移させるステップを含む
ことを特徴とする請求項１８記載の信号出力方法。
【請求項２０】
前記信号出力方法は、該立ち上がり部分若しくは立ち下がり部分の他方を形成するためのステップを更に有しており、該他方を形成するステップが、信号の電位を前記第２の電位から前記第１の電位に遷移させるステップを含んでおり、
該遷移させるステップは、
前記第１の電位供給経路と前記出力部との間を、該第１の電位供給経路と前記出力部との間の抵抗値が所定の抵抗値となる状態で接続した第５の状態を実現するステップと、
該第５の状態から、
前記第１の電位供給経路と前記出力部との間を、該第１の電位供給経路と前記出力部との間の抵抗値が前記第５の状態における前記所定の抵抗値よりも低い抵抗値となる第６の状態に変更するステップ
を有することを特徴とする請求項１９記載の信号出力方法。
【請求項２１】
前記信号出力方法は、該立ち上がり部分若しくは立ち下がり部分の他方を形成するためのステップを更に有しており、該他方を形成するステップが、信号の電位を前記第２の電位から前記第１の電位に遷移させるステップを含んでおり、
該遷移させるステップは、
前記第１の電位供給経路及び前記第２の電位供給経路がそれぞれ供給する電位のいずれとも異なる電位を供給する第３の電位供給経路と前記出力部との間を、該第３の電位供給経路と前記出力部との間の抵抗値が所定の抵抗値となる状態で接続した第７の状態を実現するステップと、
該第７の状態から、
前記第３の電位供給経路と前記出力部との間を、該第３の電位供給経路と前記出力部との間の抵抗値が前記第７の状態における前記所定の抵抗値よりも低い抵抗値となる状態で接続した第８の状態に変更するステップ
を有することを特徴とする請求項１９記載の信号出力方法。
【請求項２２】
前記第１の電位供給経路が供給する前記所定の電位は、前記第１の電位と前記第２の電位の間の電位であることを特徴とする請求項１８〜２１のいずれかに記載の信号出力方法。
【請求項２３】
画像形成素子に供給する信号の電位を第１の電位から該第１の電位とは異なる第２の電位
に遷移させるステップを有しており、
該遷移させるステップは、
所定の電位を供給する第１の電位供給経路と前記信号を出力する出力部との間を、該第１の電位供給経路と前記出力部との間の抵抗値が所定の抵抗値となる状態で接続した第１の状態を実現するステップと、
該第１の状態から、
前記第１の電位供給経路と前記出力部との間を、前記第１の電位供給経路と前記出力部との間の抵抗値が前記第１の状態における前記所定の抵抗値よりも低い抵抗値となる状態で接続した第２の状態に変更するステップと、
該第２の状態を経由したのち、
前記所定の電位とは異なる電位を供給する第２の電位供給経路と前記出力部との間を、前記第２の電位供給経路と前記出力部との間の抵抗値が所定の抵抗値となる状態で接続した第３の状態を実現するステップと、
該第３の状態から、
前記第２の電位供給経路と前記出力部との間を、前記第２の電位供給経路と前記出力部との間の抵抗値が前記第３の状態における前記所定の抵抗値よりも低い抵抗値となる状態で接続した第４の状態に変更するステップ
を有することを特徴とする画像表示方法。
【請求項２４】
前記信号はパルス信号であり、該パルス信号の立ち上がり部分若しくは立ち下がり部分のいずれかを形成するためのステップが、前記遷移させるステップを含むことを特徴とする請求項２３記載の画像表示方法。
【請求項２５】
前記画像表示方法は、該立ち上がり部分若しくは立ち下がり部分の他方を形成するためのステップを更に有しており、該他方を形成するためのステップが、信号の電位を前記第２の電位から前記第１の電位に遷移させるステップを含んでおり、
該遷移させるステップは、
前記第１の電位供給経路と前記出力部との間を、該第１の電位供給経路と前記出力部との間の抵抗値が所定の抵抗値となる状態で接続した第５の状態を実現するステップと、
該第５の状態から、
前記第１の電位供給経路と前記出力部との間を、該第１の電位供給経路と前記出力部との間の抵抗値が前記第５の状態における前記所定の抵抗値よりも低い抵抗値となる第６の状態に変更するステップ
を有することを特徴とする請求項２４記載の画像表示方法。
【請求項２６】
前記信号出力方法は、該立ち上がり部分若しくは立ち下がり部分の他方を形成するためのステップとして、信号の電位を前記第２の電位から前記第１の電位に遷移させるステップを更に有しており、
該遷移させるステップは、
前記第１の電位供給経路及び前記第２の電位供給経路がそれぞれ供給する電位のいずれとも異なる電位を供給する第３の電位供給経路と前記出力部との間を、該第３の電位供給経路と前記出力部との間の抵抗値が所定の抵抗値となる状態で接続した第７の状態を実現するステップと、
該第７の状態から、
前記第３の電位供給経路と前記出力部との間を、該第３の電位供給経路と前記出力部との間の抵抗値が前記第７の状態における前記所定の抵抗値よりも低い抵抗値となる状態で接続した第８の状態に変更するステップ
を有することを特徴とする請求項２４記載の画像表示方法。
【請求項２７】
前記第１の電位供給経路が供給する前記所定の電位は、前記第１の電位と前記第２の電位
の間の電位であることを特徴とする請求項２３〜２６のいずれかに記載の画像表示方法。
【請求項２８】
前記信号は、前記画像形成素子が接続される変調配線に印加する信号であることを特徴とする請求項２３〜２７のいずれかに記載の画像表示方法。